(57)【要約】【課題】バーナ用開口（２５）を備えた天板（２４）で上端開放部が覆われる本体ケース（２６）と、平面視に於いて前記バーナ用開口（２５）内に位置するバーナヘッド（３１）を具備し且つ前記バーナヘッド（３１）の頂部にはバーナキャップ（３２）が着脱自在に載置されたガスバーナ（３０）を有するガスコンロに於いて、前記バーナ用開口（２５）から本体ケース（２６）内に落下したバーナキャップ（３２）の回収が容易なガスコンロを提供すること。【解決手段】前記バーナ用開口（２５）から前記本体ケース（２６）内に落下した前記バーナキャップ（３２）を受け止め、且つ、該バーナキャップ（３２）を前記バーナ用開口（２５）に差し込んだコンロ使用者の指が届く範囲内に保持する為のキャップ受け（８１）が前記バーナ用開口（２５）の下方に配設されていること。【選択図】　　図１
2004020156.tif 000002
【特許請求の範囲】
【請求項１】
バーナ用開口（２５）を備えた天板（２４）で上端開放部が覆われる本体ケース（２６）と、平面視に於いて前記バーナ用開口（２５）内に位置するバーナヘッド（３１）を具備し且つ前記バーナヘッド（３１）の頂部にはバーナキャップ（３２）が着脱自在に載置されたガスバーナ（３０）を有するガスコンロに於いて、
前記バーナ用開口（２５）から前記本体ケース（２６）内に落下した前記バーナキャップ（３２）を受け止め、且つ、該バーナキャップ（３２）を前記バーナ用開口（２５）に差し込んだコンロ使用者の指が届く範囲内に保持する為のキャップ受け（８１）が前記バーナ用開口（２５）の下方に配設されている、ガスコンロ。
【請求項２】
請求項１に記載のガスコンロに於いて、
前記キャップ受け（８１）は、前記本体ケース（２６）側の固定部に支持されていると共に、前記バーナキャップ（３２）が前記指の届く範囲から水平方向に脱出するのを阻止する為の起立側壁を備えており、該起立側壁の上端は前記天板（２４）に当接している、ガスコンロ。
【請求項３】
請求項１又は請求項２に記載のガスコンロにおいて、
前記天板（２４）には、前記バーナ用開口（２５）に落とし込み状態に設置される環状の汁受皿と、前記バーナ用開口（２５）の外周に沿った状態で載置される五徳が、取り外し自在に配設される、ガスコンロ。
【請求項４】
請求項１から請求項３の何れかに記載のガスコンロにおいて、
システムキッチンのカウンタートップ（１１）に開設された開口部（１２）に落とし込み状態に設置される、ガスコンロ。
【発明の詳細な説明】
【０００１】
【発明の属する技術分野】
本発明は、ガスコンロ、特に、ガスバーナのバーナヘッドの上端に被蓋配設されたバーナキャップの落下対策が施されたガスコンロに関するものである。
【０００２】
【従来の技術】
この種のガスコンロとして、例えば、図５に示す如き構造のものがある。
これは、システムキッチンのカウンタートップ（１１）に装着するビルトイン式のもので、コンロ本体（２）は、カウンタートップ（１１）に形成された開口部（１２）に落とし込み状態に装着されている。
【０００３】
前記コンロ本体（２）の本体ケース（２６）の上端開放部には、下方に浅く絞られた天板（２４）が被蓋されており、該天板（２４）に開設されたバーナ用開口（２５）の中心部には、ガスバーナ（３０）のバーナヘッド（３１）が同心状に配設されている。そして、該バーナヘッド（３１）の頂部には、バーナキャップ（３２）が載置されており、該バーナキャップ（３２）の外周下部と前記バーナヘッド（３１）の間に多数の炎孔（３３）（３３）が形成されるようになっている。
【０００４】
又、上記バーナ用開口（２５）は、バーナヘッド（３１）に外嵌するバーナリング（２０）で覆われており、これにより、調理時の煮こぼれが前記バーナ用開口（２５）から本体ケース（２６）内に落ちるのを防止している。
【０００５】
更に、上記天板（２４）には、五徳（２７）が載置されていると共に、コンロ本体（２）の正面部にはガスバーナ（３０）の点火や火力調節を行う為の操作つまみ（２８）が配設されている。
【０００６】
このものでは、調理鍋等を五徳（２７）に載置した後に操作つまみ（２８）を操作してガスバーナ（３０）を燃焼させるが、このときに前記調理鍋から溢れる煮こぼれは、バーナリング（２０）に案内されて天板（２４）の上面に溜まる。従って、バーナリング（２０）や天板（２４）に付着した煮こぼれを拭い取るだけでこれらの清掃が完了する。よって、煮こぼれが本体ケース（２６）内に流入する場合と相違し、前記清掃作業が簡単に行える。
【０００７】
【発明が解決しようとする課題】
しかしながら、上記従来のものでは、清掃時に取り外すバーナリング（２０）の内周縁にバーナキャップ（３２）の外周が引っ掛かってこれがバーナヘッド（３１）から外れ、更に、バーナ用開口（２５）から本体ケース（２６）内に落下することがある。この場合、大きい故に取り扱いが困難な天板（２４）を取り外さなければ、上記バーナキャップ（３２）を回収することができず、該バーナキャップ（３２）の回収作業が煩雑化するという問題があった。
【０００８】
本発明は、かかる点に鑑みて成されたもので、
『バーナ用開口（２５）を備えた天板（２４）で上端開放部が覆われる本体ケース（２６）と、平面視に於いて前記バーナ用開口（２５）内に位置するバーナヘッド（３１）を具備し且つ前記バーナヘッド（３１）の頂部にはバーナキャップ（３２）が着脱自在に載置されたガスバーナ（３０）を有するガスコンロ』に於いて、前記バーナ用開口（２５）から本体ケース（２６）内に落下したバーナキャップ（３２）の回収が容易なガスコンロを提供することを課題とする。
【０００９】
【課題を解決するための手段】
［１項］
上記課題を解決する為の本発明の技術的手段は、
『前記バーナ用開口（２５）から前記本体ケース（２６）内に落下した前記バーナキャップ（３２）を受け止め、且つ、該バーナキャップ（３２）を前記バーナ用開口（２５）に差し込んだコンロ使用者の指が届く範囲内に保持する為のキャップ受け（８１）が前記バーナ用開口（２５）の下方に配設されている』ことである。
【００１０】
上記技術的手段によれば、バーナキャップ（３２）がバーナ用開口（２５）からその下方に落下すると、該バーナキャップ（３２）がキャップ受け（８１）で受け止められる。又、前記キャップ受け（８１）は、バーナ用開口（２５）から本体ケース（２６）内に差し込むコンロ使用者の指の届く範囲に保持する。従って、上記指の届く範囲に保持されたバーナキャップ（３２）を、バーナ用開口（２５）から差し込んだ指で摘んで取り出すことができる。
【００１１】
［２項］
前記１項に於いて、
『前記キャップ受け（８１）は、前記本体ケース（２６）側の固定部に支持されていると共に、前記バーナキャップ（３２）が前記指の届く範囲から水平方向に脱出するのを阻止する為の起立側壁を備えており、該起立側壁の上端は前記天板（２４）に当接している』構成にすることができる。
【００１２】
このものでは、キャップ受け（８１）で受け止められたバーナキャップ（３２）は、横方向への自由な移動が起立側壁によって阻止され、これにより、バーナ用開口（２５）の下方に差し込んだコンロ使用者の指が届く範囲にバーナキャップ（３２）を保持することができる。
【００１３】
又、本体ケース（２６）側に支持されたキャップ受け（８１）の起立側壁の上端が天板（２４）に当接している。従って、天板（２４）上の五徳に載置された調理鍋の重みで下方に撓み易い前記天板（２４）が、キャップ受け（８１）の起立側壁で下方から支持された状態になり、これにより、前記天板（２４）が下方に撓む不都合を防止することができる。
【００１４】
［３項］
前記１項又は２項に於いて、
『前記天板（２４）には、前記バーナ用開口（２５）に落とし込み状態に設置される環状の汁受皿と、前記バーナ用開口（２５）の外周に沿った状態で載置される五徳とが、取り外し自在に配設される』ものとすることができる。
【００１５】
このものでは、バーナ用開口（２５）の外周縁に沿った状態で五徳が載置されるから、該バーナ用開口（２５）の周縁に調理鍋の荷重が集中的に作用する。従って、バーナ用開口（２５）の周縁が下方に一層撓み易いので、既述起立側壁で天板（２４）を下方から支えて撓み防止を図ることが一層有意義なものとなる。
【００１６】
［４項］
前記１項〜３項に於いて、
本願発明は、調理台に載置して使用する形式のテーブルコンロに適用できるだけでなく、『システムキッチンのカウンタートップ（１１）に開設された開口部（１２）に落とし込み状態に設置される』形式のビルトインコンロにも適用することができる。
【００１７】
ビルトインコンロでは、前記カウンタートップ（１１）に落とし込み状態に設置されるので、調理台に載置されるテーブルコンロのようにコンロ全体を上下反転させたり、又、傾斜させるようなことができない。従って、ビルトインコンロでは、ケース本体内に落ち込んだバーナキャップの回収がテーブルコンロに比べて困難であるから、バーナキャップ（３２）の回収を容易にする本願発明が一層有意義なものとなり、効果の顕著性が向上する。
【００１８】
【発明の効果】
本発明は次の特有の効果を有する。
バーナ用開口（２５）内に落下したバーナキャップ（３２）を、バーナ用開口（２５）に差し込んだコンロ使用者の指の届く範囲にキャップ受け（８１）で保持することが出来るから、前記落下したバーナキャップ（３２）の回収を容易に行うことができる。
【００１９】
２項，３項のものでは、バーナ用開口（２５）に差し込んだ指の届く範囲にバーナキャップ（３２）を保持する為の起立側壁で天板（２４）を下方から支持するから、調理鍋等の荷重で天板（２４）が下方に撓むのを防止することができる。
【００２０】
４項のものでは、本願発明をビルトインコンロに適用するから、既述したように効果の顕著性が向上する。
【００２１】
【発明の実施の形態】
次に、上記した本発明の実施の形態を図面に従って詳述する。
図１は、本発明の実施の形態にかかるガスコンロを、システムキッチンのカウンタートップ（１１）に形成された開口部（１２）に落とし込み状態に装着する形式のビルトインコンロとして実施した場合の分解斜視図であり、図２は該ガスコンロの縦断面図である。
【００２２】
図１に示すように、本実施の形態にかかるガスコンロは、本体ケース（２６）内に形成れたグリル部（５１）の天井に横方向に並ぶ態様で配設された大・中能力のガスバーナ（３０）（３０）と、これら両ガスバーナ（３０）（３０）の相互間の後方に配設された小能力のガスバーナ（３０）を具備するコンロ本体（２）と、その上端開放部を被蓋する天板（２４）と、上記各ガスバーナ（３０）（３０）（３０）に各別に対応し且つ前記天板（２４）に装着される汁受皿（６１）（６１）（６１）及び五徳（７１）（７１）（７１）を備えている。
以下、各部の詳細を説明する。
【００２３】
［本体ケース（２６）］
コンロ本体（２）の本体ケース（２６）は、上方に開放する矩形箱状に形成されており、その上端外周には、カウンタトップ（１１）の開口部（１２）に係合する為のフランジ（２１）が周設されている。
【００２４】
［グリル部（５１）］
コンロ本体（２）内に設けられたグリル部（５１）は、コンロ前方に開放する加熱庫（５２）と、該加熱庫（５２）に引出し状に装填され且つ焼き網（９５）を収容した水皿（５３）と、加熱庫（５２）内の天井部に配設されたグリルバーナ（５４）を具備している。又、加熱庫（５２）の奥壁（５５）の上部には排気ダクト（５６）が連設されている。
【００２５】
グリル部（５１）を構成するグリル天板（５７）の後端近傍には、板金をチャンネル状に折り曲げて形成したバーナ載置台（５８）が固定されており、該バーナ載置台（５８）は排気ダクト（５６）の近傍に位置している。そして、上記バーナ載置台（５８）には、小能力のガスバーナ（３０）のバーナヘッド（３１）近傍を支える支持脚（３４）（３４）の下端屈曲片（３５）（３５）がビス（３９）（３９）で固定されている（図１〜図３参照）。
【００２６】
又、図４に示すように、上記小能力のガスバーナ（３０）のバーナヘッド（３１）には、バーナキャップ（３２）が載置されており、該バーナキャップ（３２）の下面には多数の細溝（３６）（３６）が放射状に開設されている。これにより、上記細溝（３６）（３６）の外端、即ち、バーナキャップ（３２）とバーナヘッド（３１）の境界外周から燃焼ガスが噴出するようになっている。
【００２７】
［キャップ受け（８１）］
上記バーナ載置台（５８）の上面には、後述する汁受皿（６１）の清掃時等に落下したバーナキャップ（３２）が本体ケース（２６）内の奥部に転がり込むのを防止する為のキャップ受け（８１）が固定されている。
【００２８】
図１，図３に示すように、上記キャップ受け（８１）は、グリル部（５１）の排気ダクト（５６）側に開放するコ字状の平面形状を有しており、横方向に対向する一対の平行な側板（８２）（８２）と、これら側板（８２）（８２）の前端相互を連結する前板（８３）を備えている。そして、これら側板（８２）（８２）及び前板（８３）が、既述２項に記載の発明特定たる起立側壁に対応している。
【００２９】
上記側板（８２）（８２）及び前板（８３）の下辺からは底板（８２０）（８２０）（８３０）が内向きに屈曲されていると共に、底板（８２０）（８２０）はビス（８０）（８０）で既述固定部たるバーナ載置台（５８）に固定されている。又、上記キャップ受け（８１）の上端は、後述する天板（２４）の下面に当接しており、これにより、該天板（２４）の下方への撓みを防止している。
【００３０】
上記キャップ受け（８１）を構成する、側板（８２）（８２）及び前板（８３）と、これらの下辺から内向きに屈曲する底板（８２０）（８２０）（８３０）と、バーナ載置台（５８）の上面と、更に、キャップ受け（８１）の開放部に対向する排気ダクト（５６）の構成壁によって、バーナヘッド（３１）の基端部外周が包囲された状態になっており、後述の清掃時にバーナキャップ（３２）がバーナヘッド（３１）から落下しても、該バーナキャップ（３２）が上記包囲された空間に収容されるようになっている。そして、該収容状態では、天板（２４）のバーナ用開口（２５）から差し込んだコンロ使用者の指の届く範囲に上記バーナキャップ（３２）が位置するように、側板（８２）（８２），前板（８３）及び排気ダクト（５６）の夫々とバーナ用開口（２５）の形成位置の相互間距離が設定されている。具体的には、円形のバーナ用開口（２５）の外周近傍に上記側板（８２）（８２）及び前板（８３）が位置するような寸法にキャップ受け（８１）が加工されている。
【００３１】
従って、後述の清掃時にバーナヘッド（３１）からバーナキャップ（３２）が落下することがあっても、該バーナキャップ（３２）は、バーナ用開口（２５）から差し込んだコンロ使用者の指の届く範囲にキャップ受け（８１）によって保持され、これにより、前記バーナキャップ（３２）の回収が容易に行える。
【００３２】
尚、大・中能力のガスバーナ（３０）（３０）は、本体ケース（２６）内の前部近傍に於いて、中央から左右に振り分けられた位置に配設されている。この場合、上記小能力のガスバーナ（３０）と同様に、これら大・中能力のガスバーナ（３０）（３０）の近傍にキャップ受け（８１）を設ければ、大・中能力のガスバーナ（３０）（３０）から落下したバーナキャップ（３２）を、バーナ用開口（２５）に差し込んだコンロ使用者の指の届く範囲に保持することができ、上記と同様の効果が得られる。
【００３３】
［天板（２４）］
本体ケース（２６）の上端開放部を被蓋する天板（２４）には、既述ガスバーナ（３０）（３０）（３０）とグリル部（５１）の排気ダクト（５６）に余裕を持って外嵌するバーナ用開口（２５）（２５）（２５）及びダクト用開口（２２）が開設されており、これにより、平面視に於いてバーナ用開口（２５）内にガスバーナ（３０）のバーナヘッド（３１）が位置するように構成されている。
【００３４】
上記各バーナ用開口（２５）の内周部は浅く絞られて段落ち部（２３）が形成されており、該段落ち部（２３）には汁受皿（６１）の外周が上方から係合するように構成されている。これにより、汁受皿（６１）がバーナ用開口（２５）に着脱自在に装着される。
【００３５】
［汁受皿（６１）］
汁受皿（６１）は、上記段落ち部（２３）に係合する外周フランジ（６２）と、該外周フランジ（６２）の内周に連設された環状皿部（６３）を備えており、該環状皿部（６３）の内径は、バーナヘッド（３１）の外径より若干大きく設定されている。天板（２４）から汁受皿（６１）を取り外し可能にするためである。
【００３６】
［五徳（７１）］
上記汁受皿（６１）の上方に着脱自在に配設する五徳（７１）は、環状リング（７２）と、該環状リング（７２）に沿って所定間隔で配設された複数の五徳爪（７３）（７３）を備えており、上記環状リング（７２）が汁受皿（６１）の外周の外周フランジ（６２）に対して上方から載置されるようになっている。
尚、天板（２４）の後辺近傍に形成されたダクト用開口（２２）は、排気ガード（９１）で覆われるように構成されている。
【００３７】
［使用の実際］
本実施の形態に係るガスコンロでは、例えば、コンロ本体（２）の後部に配設された小能力のガスバーナ（３０）用の汁受皿（６１）に溜まった煮こぼれを清掃する必要が生じると、該ガスバーナ（３０）の上方の五徳（７１）と汁受皿（６１）を天板（２４）から取り外してこれらの洗浄等を行う。この場合、汁受皿（６１）の取り外し時に、該汁受皿（６１）の内周縁にバーナキャップ（３２）が係合してこれが天板（２４）のバーナ用開口（２５）内に落下することがある。ところが、既述したように、落下したバーナキャップ（３２）はその下方のキャップ受け（８１）によって、バーナ用開口（２５）から差し込んだ指の届く範囲に保持されるから、大きな天板（２４）を取り外すことなく、該バーナキャップ（３２）の回収を容易に行うことができる。
る。
【００３８】
又、五徳（７１）に載置した調理鍋の重みが天板（２４）のバーナ用開口（２５）近傍に作用しても、該バーナ用開口（２５）の近傍がキャップ受け（８１）の上端で支持されているから、上記重みで天板（２４）が下方に撓む不都合を防止することができる。
【００３９】
尚、上記の実施の形態では、システムキッチンのカウンタートップ（１１）に形成された開口部（１２）に装着する形式のビルトインコンロに本発明を適用した場合を例示的に説明したが、本発明は、テーブルコンロ等の種々のガスコンロに適用できる。
【００４０】
又、キャップ受け（８１）としては、バーナキャップ（３２）より小さな網目の金網や格子部材等も適用できる。
【図面の簡単な説明】
【図１】本発明の実施の形態に係るガスコンロの分解斜視図
【図２】本発明の実施の形態に係るガスコンロをシステムキッチンのカウンタートップ（１１）に装着した状態の断面図
【図３】キャップ受け（８１）の配設部近傍の平面図
【図４】キャップ受け（８１）の配設部近傍の縦断面図
【図５】従来例の説明図
【符号の説明】
（２４）・・・天板
（２５）・・・バーナ用開口
（２６）・・・本体ケース
（３０）・・・ガスバーナ
（３１）・・・バーナヘッド
（３２）・・・バーナキャップ
【図１】
2004020156.tif 000003
【図２】
2004020156.tif 000004
【図３】
2004020156.tif 000005
【図４】
2004020156.tif 000006
【図５】
2004020156.tif 000007